(57)【要約】【課題】嵌合すべき相手コネクタと嵌合間口の取り違えを抑止するとともに、仕様ごとの相手コネクタの組み替えに容易に対応できる電気コネクタを提供する。【解決手段】電気コネクタ１０は、相手コネクタ４０が嵌合される複数の嵌合間口２１を有するコネクタハウジング２０と、複数の嵌合間口２１のそれぞれに装着される、コネクタハウジング２０とは別体の識別部材３０と、を備える。複数の識別部材３０のそれぞれには、異なる識別情報が施されている。【選択図】図１
2019071206.tif 000002
【特許請求の範囲】
【請求項１】
相手コネクタが嵌合される複数の嵌合間口を有するコネクタハウジングと、
複数の前記嵌合間口のそれぞれに装着される、前記コネクタハウジングとは別体の識別部材と、を備え、
複数の前記識別部材のそれぞれに、異なる識別情報が施されている、
ことを特徴とする電気コネクタ。
【請求項２】
前記識別情報は、それぞれの前記識別部材の一部または全部に施されている、
請求項１に記載の電気コネクタ。
【請求項３】
前記識別情報は、色情報である、
請求項１または請求項２に記載の電気コネクタ。
【請求項４】
前記色情報は、
前記識別部材の内部着色または前記識別部材の外部着色によって施されている、
請求項３に記載の電気コネクタ。
【請求項５】
前記識別情報は、構造に関する情報である、
請求項１から請求項４のいずれか一項に記載の電気コネクタ。
【請求項６】
前記構造に関する情報は、キーまたはキー溝である、
請求項５に記載の電気コネクタ。
【請求項７】
前記識別部材は、
前記嵌合間口に嵌合される筒体であり、
前記識別情報は、
前記筒体における前記嵌合間口の内側に臨む面、及び、前記筒体における前記相手コネクタが嵌合される側の前縁面の一方または双方に施されている、
請求項１から請求項６のいずれか一項に記載の電気コネクタ。
【請求項８】
前記筒体は、
前記筒体の前記相手コネクタが嵌合される側の後側に底壁を有し、
前記識別情報は、
前記底壁における前記嵌合間口の内側に臨む面に施されている、
請求項７に記載の電気コネクタ。
【請求項９】
複数の相手コネクタと、
複数の前記相手コネクタが複数の嵌合間口に嵌合される、請求項１から請求項８のいずれか一項に記載の電気コネクタと、備える電気コネクタ組立体であって、
複数の前記相手コネクタのそれぞれは、
対応する嵌合間口に装着される前記識別部材に施される前記識別情報と整合する相手識別情報が施されている、
ことを特徴とする電気コネクタ組立体。
【発明の詳細な説明】
【技術分野】
【０００１】
本発明は、複数の相手コネクタと電気的に接続される電気コネクタに関する。
【背景技術】
【０００２】
例えば、車両のワイヤハーネスの組み立てのときに、複数の嵌合間口を有する電気コネクタ組立体に対して、ワイヤハーネスの複数の相手コネクタを所定の嵌合開口に嵌合することが行われている。このような相手コネクタおよび嵌合開口の嵌合においては、作業者の過誤によって、嵌合すべき相手コネクタおよび嵌合開口の取り違えが生じうる。
例えば、特許文献１には、電気接続箱に嵌合される個々の相手コネクタに着色し、色のパターンを検査装置に識別させることで、ワイヤハーネスが適正に組み立てられているか否かを検査することも提案されている。
【先行技術文献】
【特許文献】
【０００３】
【特許文献１】特開２００３−５９３５４号公報
【発明の概要】
【発明が解決しようとする課題】
【０００４】
しかし、特許文献１の開示は、ワイヤハーネスの検査工程に関するものであり、作業者が相手コネクタを嵌合開口に嵌合させる時点で、嵌合すべき相手コネクタと嵌合間口の取り違えを抑止するものではない。
また、この種の電気コネクタ組立体は、複数の仕様があるときに、嵌合間口に嵌合させる相手コネクタが仕様ごとに組み替えられる。このような複数の仕様に対応できるように、嵌合すべき相手コネクタと嵌合間口の取り違えを抑止しうる手段が設けられることが好ましい。
【０００５】
以上より、本発明は、嵌合すべき相手コネクタと嵌合間口の取り違えを抑止するとともに、仕様ごとの相手コネクタの組み替えに容易に対応できる電気コネクタを提供することを目的とする。
【課題を解決するための手段】
【０００６】
本発明の電気コネクタは、相手コネクタが嵌合される複数の嵌合間口を有するコネクタハウジングと、複数の嵌合間口のそれぞれに装着される、コネクタハウジングとは別体の識別部材と、を備える。複数の識別部材のそれぞれには、異なる識別情報が施されている。
【０００７】
識別情報は、それぞれの識別部材の一部または全部に施されていてもよい。
また、識別情報は、色情報であってもよい。この色情報は、識別部材の内部着色または識別部材の外部着色によって施されていてもよい。
また、識別情報は、構造に関する情報であってもよい。この構造に関する情報は、キーまたはキー溝であってもよい。
【０００８】
識別部材は、嵌合間口に嵌合される筒体であってもよい。そして、識別情報は、筒体における嵌合間口の内側に臨む面、及び、筒体における相手コネクタが嵌合される側の前縁面の一方または双方に施されていてもよい。
また、筒体は、筒体の相手コネクタが嵌合される側の後側に底壁を有していてもよい。そして、識別情報は、底壁における嵌合間口の内側に臨む面に施されていてもよい。
【０００９】
本発明の電気コネクタ組立体は、複数の相手コネクタと、複数の相手コネクタが複数の嵌合間口に嵌合される、上記の電気コネクタと、備える。複数の相手コネクタのそれぞれは、対応する嵌合間口に装着される識別部材に施される識別情報と整合する相手識別情報が施されている。
【発明の効果】
【００１０】
本発明の電気コネクタには、相手コネクタが嵌合される複数の嵌合間口には、異なる識別情報が施された識別部材が装着されている。嵌合間口のいずれかに相手コネクタを嵌合するときに、作業者は、相手コネクタを嵌合する嵌合間口を識別部材の識別情報で識別できる。これにより、異なる識別情報が施されている嵌合間口に、作業者が相手コネクタを誤って嵌合することが抑止される。
【００１１】
また、本発明の電気コネクタによれば、複数の嵌合間口を有するコネクタハウジングと、識別部材は別体の部品である。そのため、仕様に応じて識別部材のいずれかを、新たな相手コネクタに対応する識別情報が施された識別部材に組み替えることで、電気コネクタの仕様の変更に対応できる。これにより、共通のコネクタハウジングを用いて、仕様ごとの相手コネクタの組み替えにも容易に対応できる。
【図面の簡単な説明】
【００１２】
【図１】第１実施形態に係る電気コネクタ組立体を示す図である。
【図２】図１に示す電気コネクタの分解図である。
【図３】図３（ａ）は図１のIIIa-IIIa線断面図であり、図３（ｂ）は図３（ａ）において相手コネクタが嵌合された状態を示す図である。
【図４】図４（ａ）は図３（ａ）の変形例を示す図であり、図４（ｂ）は図４（ａ）において相手コネクタが嵌合された状態を示す図である。
【図５】第２実施形態に係る電気コネクタ組立体を示す図である。
【図６】図５に示す電気コネクタの分解図である。
【発明を実施するための形態】
【００１３】
以下、添付図面を参照しながら、本発明の実施形態について説明する。
本発明の電気コネクタは、コネクタハウジングの複数の嵌合間口にそれぞれ異なる識別情報が施された識別部材を装着することで、相手コネクタと嵌合間口の正しい組み合わせを作業者に識別させる。
第１実施形態は、識別情報として色情報を用いる例を示し、第２実施形態は、識別情報として色情報および構造に関する情報を用いる例を示す。
【００１４】
〔第１実施形態〕
図１に示すように、第１実施形態の電気コネクタ組立体１００は、電気コネクタ１０と、電気コネクタ１０にそれぞれ嵌合される４つの相手コネクタ４０Ａ，４０Ｂ，４０Ｃ，４０Ｄとを有している。
以下の説明において、第１実施形態における相手コネクタ４０Ａ−４０Ｄは、後述するハウジング４２の色を除いて同様の構成を有しており、個々の要素を区別する必要がないときには相手コネクタ４０と総称する。
なお、電気コネクタ組立体１００における幅方向Ｘ、高さ方向Ｙおよび厚さ方向Ｚを、図中に示すように定義する。
【００１５】
〔相手コネクタ４０〕
第１実施形態の相手コネクタ４０は、図３に示すように、導電性および弾性を有する雌コンタクト４１が厚さ方向Ｚに沿って配置された雌コネクタである。相手コネクタ４０の幅方向Ｘおよび高さ方向Ｙの形状はほぼ矩形である。雌コンタクト４１は、導電性および弾性を有する金属材料、例えば銅合金の板材に打抜き加工および折り曲げ加工を施すことで所定の形状に成形される。
なお、雌コンタクト４１は、相手コネクタ４０から引き出される配線に電気的に接続されている。図１および図３では、配線の図示はいずれも省略する。
【００１６】
相手コネクタ４０Ａ−４０Ｄのハウジング４２は、いずれも電気絶縁性の樹脂材料を射出成形することで成形される。図１に示すように、相手コネクタ４０Ａ−４０Ｄのハウジング４２は、内部着色または外部着色により、相手コネクタ４０Ａ−４０Ｄの相互識別のためにそれぞれ異なる色が施されている。例えば、相手コネクタ４０Ａ−４０Ｄのハウジング４２は、樹脂材料に着色剤を含有させて成形することで着色されてもよく（内部着色）、あるいは、ハウジング４２の表面を塗装で着色してもよい（外部着色）。また、相手コネクタ４０に着色されたシールを貼付してもよい（外部着色）。相手コネクタ４０の着色は、相手識別情報の一例である。
【００１７】
なお、図１においては、相手コネクタ４０Ａ−４０Ｄにおけるハウジング４２の色の違いをそれぞれ異なるトーンで示している。特に限定するものではないが、一例として、相手コネクタ４０Ａは赤であり、相手コネクタ４０Ｂは青であり、相手コネクタ４０Ｃは緑であり、相手コネクタ４０Ｄは白である。
【００１８】
〔電気コネクタ１０〕
図１，図２に示すように、電気コネクタ１０は、コネクタハウジング２０と、コネクタハウジングとは別体の識別部材３０Ａ，３０Ｂ，３０Ｃ，３０Ｄとを有している。コネクタハウジング２０および識別部材３０Ａ−３０Ｄは、それぞれ電気絶縁性の樹脂材料を射出成形することで成形されている。
【００１９】
コネクタハウジング２０には、相手コネクタ４０Ａ−４０Ｄがそれぞれ嵌合される４つの嵌合間口２１Ａ，２１Ｂ，２１Ｃ，２１Ｄが幅方向Ｘに沿って形成されている。嵌合間口２１Ａ−２１Ｄの幅方向Ｘおよび高さ方向Ｙの形状は矩形である。また、嵌合間口２１Ａ−２１Ｄには、識別部材３０Ａ−３０Ｄがそれぞれ装着される。
【００２０】
以下の説明において、嵌合間口２１Ａ−２１Ｄは同様の構成を有しており、個々の要素を区別する必要がないときには嵌合間口２１と総称する。また、識別部材３０Ａ−３０Ｄは、それぞれの色を除いて同様の構成を有しており、個々の要素を区別する必要がないときには識別部材３０と総称する。
【００２１】
嵌合間口２１は、相手コネクタ４０を受ける嵌合キャビティ２２を有している。嵌合キャビティ２２は、嵌合キャビティ２２を周囲から取り囲む側壁２２Ａと、側壁２２Ａの後端側を閉じる支持壁２２Ｂとを有する。
【００２２】
嵌合キャビティ２２において高さ方向Ｙに対向する側壁２２Ａには、図２、図３に示すように、識別部材３０の後述の突起３１と係合する抜け止め孔２３が２つずつ設けられている。
また、嵌合キャビティ２２の支持壁２２Ｂには、その表裏を貫通するように、導電性を有する雄コンタクト２４が圧入により支持されている。雄コンタクト２４は、支持壁２２Ｂに保持される部分より前方側が嵌合キャビティ２２に収容され、後方側がコネクタハウジング２０の外部に引き出される。
【００２３】
識別部材３０は、厚さ方向Ｚに貫通した矩形状の筒体である。識別部材３０は、嵌合キャビティ２２に隙間なく嵌合される形状、寸法を有し、かつ相手コネクタ４０のハウジング４２と嵌合できる形状、寸法を有している。また、識別部材３０の外周面には、嵌合キャビティ２２の側壁２２Ａの抜け止め孔２３と係合する突起３１が形成されている。
【００２４】
したがって、嵌合間口２１の嵌合キャビティ２２には識別部材３０を嵌合して装着できる。また、識別部材３０には相手コネクタ４０を嵌合できる。
嵌合間口２１に識別部材３０が装着されたときには、図３に示すように、識別部材３０の嵌合間口２１の筒状の内周面３３と、相手コネクタが嵌合される側の識別部材３０の前縁面３４が電気コネクタ１０の外側に露出する。
【００２５】
また、識別部材３０を嵌合間口２１に嵌合するときには、突起３１が抜け止め孔２３に係合するまで識別部材３０を嵌合間口２１に押し込めばよい。識別部材３０の突起３１と嵌合間口２１の抜け止め孔２３が係合することで、識別部材３０が嵌合間口２１から抜け出ることが抑止される。
【００２６】
図１に示すように、識別部材３０Ａ−３０Ｄは、識別部材３０Ａ−３０Ｄの相互識別と、嵌合する相手コネクタ４０Ａ−４０Ｄを識別するためにそれぞれ異なる色が施されている。識別部材３０の着色は、識別情報の一例である。
【００２７】
第１実施形態においては、識別部材３０Ａ−３０Ｄは、内部着色または外部着色により、嵌合間口２１Ａ−２１Ｄと互いに嵌合される相手コネクタ４０Ａ−４０Ｄのハウジング４２とそれぞれ同じ色に着色されている。
一例として、識別部材３０Ａは相手コネクタ４０Ａと同じ赤に着色され、識別部材３０Ｂは相手コネクタ４０Ｂと同じ青に着色される。識別部材３０Ｃと相手コネクタ４０Ｃの色、識別部材３０Ｄと相手コネクタ４０Ｄの色も同様である。
【００２８】
これにより、識別部材３０が装着された嵌合間口２１と、相手コネクタ４０との正しい組み合わせを、同じ色であるか否かにより作業者が直感的に識別できる。
図１，図２においては、識別部材３０Ａ−３０Ｄの色の違いをそれぞれ異なるトーンで示している。また、図１に示す識別部材３０Ａ−３０Ｄおよび相手コネクタ４０Ａ−４０Ｄにおいて、同じトーンは同じ色であることを示している。
【００２９】
識別部材３０Ａ−３０Ｄは、例えば、樹脂材料に着色剤を含有させて成形することで着色されてもよく（内部着色）、あるいは、識別部材３０Ａ−３０Ｄの表面を塗装で着色してもよい（外部着色）。
識別部材３０Ａ−３０Ｄを着色するときには、識別部材３０の全体を着色してもよい。あるいは、嵌合間口２１に識別部材３０を装着したときに露出する面（識別部材３０の内周面３３および前縁面３４）のみを部分的に着色し、識別部材３０の着色の手間を減らしてもよい。なお、識別部材３０を着色するときに、相手コネクタ４０が嵌合される側の前側または後側のいずれかを部分的に着色するようにしてもよい。
【００３０】
また、相手コネクタ４０を識別部材３０に嵌合したときには、図３（ｂ）に示すように、相手コネクタ４０の雌コンタクト４１に雄コンタクト２４が挿入されて両者が接触する。これにより、相手コネクタ４０と電気コネクタ１０との電気的接続が確立される。
【００３１】
以下、第１実施形態の電気コネクタ１０が奏する効果を述べる。
電気コネクタ１０において、相手コネクタ４０Ａ−４０Ｄがそれぞれ嵌合される嵌合間口２１Ａ−２１Ｄには、それぞれ異なる色が施された識別部材３０Ａ−３０Ｄが装着されている。識別部材３０Ａ−３０Ｄは、嵌合間口２１に嵌合されるそれぞれの相手コネクタ４０Ａ−４０Ｄとそれぞれ同じ色に着色されている。
嵌合間口２１Ａ−２１Ｄのいずれかに例えば相手コネクタ４０Ａを嵌合するときに、作業者は、相手コネクタ４０Ａを嵌合する嵌合間口２１Ａを、同じ色が施されているか否かで識別できる。
【００３２】
このように、第１実施形態によれば、色という視覚的に一見して識別できる情報を用いて、嵌合間口２１と相手コネクタ４０との正しい組み合わせを作業者に識別させる。これにより、異なる色が施されている嵌合間口２１Ｂ−２１Ｄに、作業者が相手コネクタ４０Ａを誤って嵌合するおそれが極めて低くなる。
【００３３】
また、電気コネクタ１０の仕様が異なるときには、嵌合間口２１に嵌合させる相手コネクタ４０が組み替えられ、相手コネクタ４０Ａ−４０Ｄとは異なる新たな相手コネクタ４０が嵌合間口２１に嵌合される。
しかし、第１実施形態において、複数の嵌合間口２１Ａ−２１Ｄを有するコネクタハウジング２０と、識別部材３０Ａ−３０Ｄは別体の部品である。そのため、仕様に応じて識別部材３０Ａ−３０Ｄのいずれかを、新たな相手コネクタ４０と同じ色に着色された識別部材３０に組み替えることで、仕様の変更に対応できる。したがって、第１実施形態によれば、共通のコネクタハウジング２０を用いて、仕様ごとの相手コネクタ４０の組み替えにも容易に対応できる。
【００３４】
また、第１実施形態によれば、嵌合間口２１に識別部材３０が装着されたときに、識別部材３０の前縁面３４が電気コネクタ１０の外側に露出する。識別部材３０の前縁面３４が露出することで、嵌合間口２１を正面からみたときに識別部材３０の着色されている領域が確実に露出する。したがって、相手コネクタ４０を嵌合するときに、作業者が識別部材３０の色をより確認しやすくなる。
【００３５】
また、第１実施形態によれば、嵌合間口２１に識別部材３０が装着されたときに、識別部材３０の内周面３３が電気コネクタ１０の外側に露出する。識別部材３０の内周面３３が露出することで、嵌合キャビティ２２の厚さ方向Ｚに沿って、着色されている領域の面積を大きく確保できる。したがって、相手コネクタ４０を嵌合するときに、作業者が識別部材３０の色をより確認しやすくなる。
【００３６】
ここで、第１実施形態においては、識別部材３０を厚さ方向Ｚに貫通した筒体で形成し、嵌合キャビティ２２に雄コンタクト２４を配置する例を説明した。しかし、第１実施形態の変形例として、図４（ａ），（ｂ）に示すように、識別部材３０の形状を、相手コネクタ４０が嵌合される側の後側に底壁３５を有する有底筒体とし、識別部材３０の底壁３５で嵌合キャビティ２２の支持壁２２Ｂを覆うようにしてもよい。なお、底壁３５は、雄コンタクト２４が挿通される孔３５Ａを有する。嵌合キャビティ２２に支持される雄コンタクト２４は、孔３５Ａを通って、識別部材３０の内部に配置される。
【００３７】
図４に示す構成によると、嵌合キャビティ２２の内部において、識別部材３０の内周面３３に加えて底壁３５も着色され、嵌合間口２１の内部において着色された領域がより広くなる。そのため、作業者が識別部材３０の色を確認しやすくなり、相手コネクタ４０を誤った嵌合間口２１に嵌合するおそれが低減する。
【００３８】
〔第２実施形態〕
次に、第２実施形態の電気コネクタ組立体１００Ａの構成を説明する。第２実施形態は、電気コネクタ１０Ａの識別部材３０にキー溝３２を設け、相手コネクタ４０にキー４３を設けた点が第１実施形態と相違する。第２実施形態においては、第１実施形態と共通の要素には同じ符号を付して重複説明を省略する。
【００３９】
図５に示すように、第２実施形態の相手コネクタ４０には、ハウジング４２の側面部に厚さ方向Ｚに沿ってキー４３が設けられている。相手コネクタ４０Ａ−４０Ｄにおいてキー４３が形成される幅方向Ｘおよび高さ方向Ｙの位置はそれぞれ異なっている。相手コネクタ４０のキー４３は、相手識別情報の一例である。
【００４０】
例えば、相手コネクタ４０Ａのキー４３は、ハウジング４２の図中左側面の中央近傍に設けられている。相手コネクタ４０Ｂのキー４３は、ハウジング４２の図中左側面において、相手コネクタ４０Ａのキー４３よりも図中上側に偏った位置に設けられている。相手コネクタ４０Ｃのキー４３は、ハウジング４２の図中右側面の中央近傍に設けられている。相手コネクタ４０Ｄのキー４３は、ハウジング４２の図中右側面において、相手コネクタ４０Ｃのキー４３よりも図中上側に偏った位置に設けられている。
【００４１】
また、図５，図６に示すように、第２実施形態の識別部材３０Ａ−３０Ｄには、嵌合する相手コネクタ４０Ａ−４０Ｄのキー４３と対応する幅方向Ｘおよび高さ方向Ｙの位置に、キー４３と係合するキー溝３２が厚さ方向Ｚに沿ってそれぞれ形成されている。識別部材３０のキー溝３２は、識別情報の一例である。
【００４２】
第２実施形態の電気コネクタ１０Ａは、第１実施形態の電気コネクタ１０が奏する効果に加え、以下の効果を奏する。
【００４３】
相手コネクタ４０と識別部材３０とが正しい組み合わせであれば、相手コネクタ４０のキー４３の位置と、識別部材３０のキー溝３２の位置が一致する。このときには、相手コネクタ４０のキー４３が識別部材３０と干渉しないので、相手コネクタ４０を識別部材３０の厚さ方向Ｚに沿って移動させることができ、嵌合間口２１に相手コネクタ４０を嵌合できる。
一方、相手コネクタ４０と識別部材３０とが誤った組み合わせであれば、相手コネクタ４０のキー４３の位置と、識別部材３０のキー溝３２の位置が一致しない。このときには、相手コネクタ４０のキー４３が識別部材３０と干渉するので、嵌合間口２１に相手コネクタ４０を嵌合できない。
【００４４】
以上のように、第２実施形態の電気コネクタ１０Ａは、識別部材３０および相手コネクタ４０にキーイング構造を設けることで、両者が正しい組み合わせのときに物理的に嵌合できるように構成されている。これにより、作業者が相手コネクタ４０を誤った嵌合間口２１に嵌合することが確実に抑止される。
なお、第２実施形態において、識別部材３０にキーを設け、相手コネクタ４０にキー溝を設けてもよい。
【００４５】
上記以外にも、本発明の主旨を逸脱しない限り、上記実施形態で挙げた構成を取捨選択することや、他の構成に適宜変更することが可能である。
【００４６】
上記実施形態において、識別部材３０が筒体である例を説明した。しかし、識別部材３０は、嵌合キャビティ２２の側壁２２Ａの内面を全て覆うものでなくともよい。例えば、識別部材３０を着色した平板として構成し、この識別部材３０を嵌合間口２１の１つの側壁に装着してもよい。同様に、識別部材３０を着色したＬ字状の部材（あるいはＣ字状の部材）として構成し、この識別部材３０を嵌合間口２１の隣接する２つの側壁（あるいは３つの側壁）に装着してもよい。
【００４７】
上記実施形態において、識別部材３０および相手コネクタ４０の着色は、一様な着色に限定されない。例えば、ドットパターンやグラデーションを有する着色パターンであってもよい。このような着色パターンも含めた識別情報を色情報と称する。
【００４８】
上記実施形態において、識別部材３０および相手コネクタ４０に着色する色の組み合わせは、明度、色相、彩度に基づき相互の識別が容易な色の組み合わせを選択することが好ましい。本発明は、例えば、色相が互いに類似する黄緑、緑、深緑の三色を選択することを排除しない。しかし、三色を選択するのであれば、色相の相違により識別が容易である赤、緑、青の三色を選択する方がより好ましい。
【００４９】
上記実施形態において、識別部材３０および相手コネクタ４０の色は同一である例を説明した。しかし、識別部材３０および相手コネクタ４０の色は作業者が識別できる範囲で異なっていてもよい。例えば、識別情報が赤、緑、青の三色であることを想定すると、相手識別情報の赤、緑、青の波長と、識別情報の赤、緑、青の波長が完全一致することまでは要求されない。このように、作業者が間違いなく識別情報としての色情報を識別できることを整合と称する。
【００５０】
上記実施形態において、識別部材３０および相手コネクタ４０に、凹凸によって柄を描画することで識別情報を施してもよい。この構成によっても、作業者は柄の組み合わせに基づいて、相手コネクタ４０と識別部材３０との正しい組み合わせを視覚的に識別できる。
【符号の説明】
【００５１】
１０  電気コネクタ
２０  コネクタハウジング
２１，２１Ａ，２１Ｂ，２１Ｃ，２１Ｄ  嵌合間口
２２  嵌合キャビティ
２２Ａ  側壁
２２Ｂ  支持壁
２３  抜け止め孔
２４  雄コンタクト
３０，３０Ａ，３０Ｂ，３０Ｃ，３０Ｄ  識別部材
３１  突起
３２  キー溝
３３  内周面
３４  前縁面
３５  底壁
３５Ａ  孔
４０，４０Ａ，４０Ｂ，４０Ｃ，４０Ｄ  相手コネクタ
４１  雌コンタクト
４２  ハウジング
４３  キー
１００，１００Ａ  電気コネクタ組立体
【図１】
2019071206.tif 000003
【図２】
2019071206.tif 000004
【図３】
2019071206.tif 000005
【図４】
2019071206.tif 000006
【図５】
2019071206.tif 000007
【図６】
2019071206.tif 000008